(57)【要約】携帯電話機への電力供給およびハンズフリー通話が可能な置台としても機能するとともに、疑似サラウンド再生ないしステレオ再生が可能なスピーカシステムである。携帯電話機が載置される筐体（２０１）内に、携帯電話機に電力を供給する供給手段（２０９）と、マイクロフォン（２１１）を通じて携帯電話機でハンズフリー通話を行うことを可能にする通話手段（２１３）と、携帯電話機から信号を導入して予め定められた処理を施す処理手段と、実質的に互いに背を向け合う関係で筐体の両側面に設けられ処理手段の出力信号に基づく音響を発生する１対のスピーカ（２１５，２１５’）とを備える。
2003079650.tif 000002
【特許請求の範囲】
【請求項１】
使用者による操作が可能な状態で携帯電話機が載置される載置部を有する筐体と、
前記載置部に載置された携帯電話機に前記筐体側から電力を供給する供給手段と、
前記筐体に設けられたマイクロフォンと、
前記マイクロフォンを通じて使用者が前記載置部に載置された携帯電話機で通話を行うことを可能にする通話手段と、
前記載置部に載置された携帯電話機から前記筐体の内部に信号を導入する導入手段と、
前記導入された信号に予め定められた処理を施す処理手段と、
実質的に互いに背を向け合う関係で前記筐体の両側面に設けられ前記処理手段の出力信号に基づく音響を発生する１対のスピーカと、
を具備することを特徴とするスピーカシステム。
【請求項２】
使用者による操作が可能な状態で携帯電話機が載置される載置部を有する筐体と、
前記載置部に載置された携帯電話機に前記筐体側から電力を供給する供給手段と、
前記筐体に設けられたマイクロフォンと、
前記マイクロフォンを通じて使用者が前記載置部に載置された携帯電話機で通話を行うことを可能にする通話手段と、
前記載置部に載置された携帯電話機から前記筐体の内部に信号を導入する導入手段と、
外部装置からの信号を前記筐体の内部に導入する他の導入手段と、
前記導入手段によって導入された信号または前記他の導入手段によって導入された信号のいずれかを選択する選択手段と、
前記選択された信号に予め定められた処理を施す処理手段と、
実質的に互いに背を向け合う関係で前記筐体の両側面に設けられ前記処理手段の出力信号に基づく音響を発生する１対のスピーカと、
を具備することを特徴とするスピーカシステム。
【請求項３】
前記処理手段の出力信号を前記筐体の外部に出力する出力手段、
を具備することを特徴とする請求項１または請求項２に記載のスピーカシステム。
【請求項４】
前記導入手段によって導入される信号は前記載置部に載置された携帯電話機に配信された音楽信号である、
ことを特徴とする請求項１ないし請求項３のうちのいずれか１つに記載のスピーカシステム。
【請求項５】
前記予め定められた処理は疑似サラウンド再生のための処理である、
ことを特徴とする請求項１ないし請求項４のうちのいずれか１つに記載のスピーカシステム。
【請求項６】
前記予め定められた処理はステレオ再生のための処理である、
ことを特徴とする請求項１ないし請求項４のうちのいずれか１つに記載のスピーカシステム。
【請求項７】
載置された携帯電話機の電池を充電する機能を備えたシステムであって、
前記載置された携帯電話機に対して電力供給及び信号授受を行うコネクタと、
前記コネクタを介して前記携帯電話機から受けた音声信号を増幅する増幅手段と、
前記増幅手段で増幅した音声を出力するスピーカと、を備え、
少なくとも１対のスピーカの中心軸が正面に対して左右水平方向に３０°ないし９０°の範囲であって、かつ、仰角０°ないし６０°の範囲に設置されている、
ことを特徴とするスピーカシステム。
【請求項８】
前記増幅手段はステレオ信号を増幅することが可能である、
ことを特徴とする請求項７に記載のスピーカシステム。
【請求項９】
少なくとも１対のスピーカの中心軸が正面に対して左右水平方向に４５°の範囲に設置されている、
ことを特徴とする請求項７または請求項８に記載のスピーカシステム。
【請求項１０】
少なくとも１対のスピーカの中心軸が仰角３０°ないし４５°の範囲に設置されている、
ことを特徴とする請求項７ないし請求項９のうちのいずれか１つに記載のスピーカシステム。
【請求項１１】
音楽配信サービスにより音楽情報を受けた携帯電話機からのステレオ音声を出力する、ことを特徴とする請求項７ないし請求項１０のうちのいずれか１つに記載のスピーカシステム。
【発明の詳細な説明】
技術分野
本発明はスピーカシステムに関し、特に、携帯電話機を載置することが可能で、その状態で携帯電話機に電力を供給するとともに携帯電話機からの入力信号に基づいて音響を発生することが可能なスピーカシステムに関する。
背景技術
携帯電話機の内部電池の充電は、携帯電話機を専用の置台に載置した状態で行われる。そのような置台にマイクロフォンやスピーカ等を設け、携帯電話機を置台に載置したままで通話可能にした、いわゆるハンズフリー装置が、特開平１０−９８５１２号公報、特開平１０−２８５２５４号公報等に示されている。
近年、携帯電話機を介した音楽配信サービスが実用化されつつある。上記のハンズフリー装置は、ステレオ再生に対する配慮がなされていないので、音楽配信サービスを利用したとしてもモノラル再生しかできない。また、ステレオ感を伴った再生を行うためには、複数のスピーカを適切な間隔で配置しなければならないが、携帯電話機の小型化に伴ってその置台も小型化されているので、そのようなスピーカ配置は実現不可能である。
ステレオ再生を発展させたものとして聴者にサラウンド感を抱かせる再生すなわち疑似サラウンド再生があるが、上記のハンズフリー装置はそのような再生も不可能である。なお、疑似サラウンド再生とは、音源が前方ばかりでなく側方や後方に定位する感覚を聴者に抱かせる音響を、前方のみに配置した複数のスピーカから発生することである。
本発明は上記の問題点に鑑みてなされたもので、その目的は、携帯電話機への電力供給およびハンズフリー通話が可能な置台としても機能する、疑似サラウンド再生ないしステレオ再生が可能なスピーカシステムを提供することにある。
発明の開示
（１）上記の目的を達成するための本発明は、ひとつの観点では、使用者による操作が可能な状態で携帯電話機が載置される載置部を有する筐体と、前記載置部に載置された携帯電話機に前記筐体側から電力を供給する供給手段と、前記筐体に設けられたマイクロフォンと、前記マイクロフォンを通じて使用者が前記載置部に載置された携帯電話機で通話を行うことを可能にする通話手段と、前記載置部に載置された携帯電話機から前記筐体の内部に信号を導入する導入手段と、前記導入された信号に予め定められた処理を施す処理手段と、実質的に互いに背を向け合う関係で前記筐体の両側面に設けられ前記処理手段の出力信号に基づく音響を発生する１対のスピーカと、を具備することを特徴とするスピーカシステムである。
この観点での発明では、処理手段の出力信号に基づく音響を発生する１対のスピーカを、実質的に互いに背を向け合う関係で筐体の両側面に設けるようにしたので、筐体が小型化されていても疑似サラウンド再生ないしステレオ再生が可能となる。
（２）上記の目的を達成するための本発明は、他の観点では、使用者による操作が可能な状態で携帯電話機が載置される載置部を有する筐体と、前記載置部に載置された携帯電話機に前記筐体側から電力を供給する供給手段と、前記筐体に設けられたマイクロフォンと、前記マイクロフォンを通じて使用者が前記載置部に載置された携帯電話機で通話を行うことを可能にする通話手段と、前記載置部に載置された携帯電話機から前記筐体の内部に信号を導入する導入手段と、外部信号源からの信号を前記筐体の内部に導入する他の導入手段と、前記導入手段によって導入された信号または前記他の導入手段によって導入された信号のいずれかを選択する選択手段と、前記選択された信号に予め定められた処理を施す処理手段と、実質的に互いに背を向け合う関係で前記筐体の両側面に設けられ前記処理手段の出力信号に基づく音響を発生する１対のスピーカと、を具備することを特徴とするスピーカシステムである。
この観点での発明では、処理手段の出力信号に基づく音響を発生する１対のスピーカを、実質的に互いに背を向け合う関係で筐体の両側面に設けるようにしたので、筐体が小型化されていても疑似サラウンド再生ないしステレオ再生が可能となる。
さらに、処理手段が処理する信号を選択手段によって選択するようにしたので、携帯電話機からの信号または外部信号源からの信号を選択的に再生することができる。
上記各観点での発明では、前記処理手段の出力信号を前記筐体の外部に出力する出力手段を具備することが、例えばヘッドフォン等の外部機器への信号供給を可能にする点で好ましい。
上記各観点での発明では、前記導入手段によって導入される信号は前記載置部に載置された携帯電話機に配信された音楽信号であることが、使用者による音楽配信サービスの享受を可能にする点で好ましい。
上記各観点での発明では、前記予め定められた処理は疑似サラウンド再生のための処理であることが、聴者にサラウンド感を抱かせる点で好ましい。
上記各観点での発明では、前記予め定められた処理はステレオ再生のための処理であることが、聴者にステレオ感を抱かせる点で好ましい。
（３）上記の目的を達成するための本発明は、他の観点では、載置された携帯電話機の電池を充電する機能を備えたシステムであって、前記載置された携帯電話機に対して電力供給及び信号授受を行うコネクタと、前記コネクタを介して前記携帯電話機から受けた音声信号を増幅する増幅手段と、前記増幅手段で増幅した音声を出力するスピーカと、を備え、少なくとも１対のスピーカの中心軸が正面に対して左右水平方向に３０°ないし９０°の範囲であって、かつ、仰角０°ないし６０°の範囲に設置されている、ことを特徴とするスピーカシステムである。
この観点での発明では、載置された携帯電話機の電池を充電する際に、載置された携帯電話機に対してコネクタを介して電力供給及び信号授受を行っており、コネクタを介して携帯電話機から受けた音声信号を増幅手段で増幅し、この増幅した音声をスピーカから出力する。なお、この増幅手段は疑似サラウンド信号を増幅することが可能なものであることが望ましい。あるいは、この増幅手段はステレオ信号を増幅することが可能なものであることが望ましい。
そして、この音声出力は、少なくとも１対のスピーカの中心軸が正面に対して左右水平方向に３０°ないし９０°の範囲であって、かつ、仰角０°ないし６０°の範囲に設置されているスピーカから出力されるため、音楽配信サービスによって配信を受けた音楽情報についての疑似サラウンド再生ないしステレオ再生に適している。
なお、少なくとも１対のスピーカの中心軸が正面に対して左右水平方向に４５°の範囲に設置されたスピーカから音声を出力すると、疑似サラウンド再生ないしステレオ再生の際の音の広がりに更に適した状態になる。
なお、少なくとも１対のスピーカの中心軸が正面に対して仰角３０°ないし４５°の範囲に設置されたスピーカから音声を出力すると、テーブルや机の上に載置された状態で疑似サラウンド再生ないしステレオ再生に更に適した状態になる。
また、以上の疑似サラウンド再生ないしステレオ再生は、音楽配信サービスにより音楽情報を受けた携帯電話機からのステレオ音声を出力することに適している。
発明を実施するための最良の形態
以下、図面を参照して、本発明を実施するための最良の形態の例を詳細に説明する。なお、本発明は、それを実施するための最良の形態の例に限定されるものではない。
第１図に、スピーカシステム２００の正面外観を略図によって示す。スピーカシステム２００は、本発明を実施するための最良の形態の一例である。同図では、スピーカシステム２００が、その上に載置された携帯電話機５００とともに示される。携帯電話機５００は、スピーカシステム２００の上面に直立状態で載置されている。載置状態では携帯電話機５００も正面を向く。スピーカシステム２００は卓上等に設置した状態で使用される。
第２図ないし第５図に、別々な視点からのスピーカシステム２００の外観を略図によってそれぞれ示す。第２図、第３図、第４図および第５図の視点は、それぞれ、正面上方、右上方、左上方および背面上方にある。
これらの図に示すように、スピーカシステム２００は、概ね６面体をなす。正面と上面は、それぞれ、垂直および水平方向に対してやや傾斜している。正面は後方に傾斜し、上面は前方に傾斜している。両側面および背面は概ね垂直である。両側面は、前方に向かってやや絞り込まれている。図では隠れている底面は水平である。このような６面体がスピーカシステム２００の筐体２０１を構成する。なお、筐体２０１の正面や上面の傾斜および両側面の絞り込みは、必ずしも不可欠ではない。
筐体２０１の正面の右寄りにスリット２０３が設けられている。スリット２０３から円盤状のダイヤル２０５の一部が露出している。ダイヤル２０５は、筐体２０１の内部に回転可能に取り付けられている。ダイヤル２０５は、後述の音量調節を可能にするためのものである。
筐体２０１の上面には凹部２０７が形成されている。凹部２０７は、携帯電話機５００の底部を受容可能なように構成される。凹部２０７は、底面にコネクタ２０９を有する。コネクタ２０９は、携帯電話機５００の底部のコネクタに係合する構造を有する。両者の係合によって、携帯電話機５００をスピーカシステム２００に第１図に示した状態で載置することが可能となる。また、その状態で携帯電話機５００とスピーカシステム２００との電気的接続が形成される。
筐体２０１の上面には、さらに、凹部２０７の手前に、開口２１１および押しボタン２１３が設けられている。開口２１１に対応して、筐体２０１の内部には後述のマイクロフォンが設けられている。マイクロフォンおよび押しボタン２１３は、後述のように、携帯電話機５００を通じてのハンズフリー通話を可能にするためのものである。
筐体２０１の両側面には、後ろ寄りに１対の窓２１５，２１５’が設けられている。窓２１５，２１５’の内側には後述の１対のスピーカがそれぞれ取り付けられている。窓２１５，２１５’は、それぞれ、１対のスピーカの音響を外部に放射する窓となる。
１対のスピーカは、互いに背を向け合う関係で筐体２０１の内部に設けられている。なお、筐体の両側面が正面に向かってやや絞り込まれているので、厳密には完全に背を向け合う関係にないが、実質的には互いに背を向け合う関係にある。なお、両側面を互いに平行なものにして、１対のスピーカを完全に背を向け合うようにしても差し支えない。
このようにすることにより、１対のスピーカの間隔をかなり狭めても、疑似サラウンド再生ないしステレオ再生は十分に可能になる。発明者らはこのこと実験によって確認した。
また、このようにすることにより、１対のスピーカの音響放射の主軸方向は実質的に互いに逆となる。このため、スピーカシステム２００の正面に正対する聴者の耳に達する音響は、１対のスピーカから放射された音が室内の壁等で反射された間接的な音響が主体となる。このことはサラウンド効果ないしステレオ効果をさらに高めることに寄与する。
筐体２０１の背面には、下部寄りに、４つの開口２１７，２１９，２２１，２２３が設けられている。開口２１７の奥には、筐体２０１の内部に、後述の電力入力ポートが設けられている。電力入力ポートには、開口２１７を通して、図示しないＡＣアダプタ等の出力端が接続される。これによって、商用交流電力を変換した所定電圧の直流電力が筐体２０１の内部に供給される。この直流電力は、筐体２０１内の回路用の電源となる。また、コネクタ２０９を通じて携帯電話機５００に供給される。携帯電話機５００の内部電池はこの電力によって充電される。
開口２１９の奥には、筐体２０１の内部に、後述の信号入力ポートが設けられている。信号入力ポートには、開口２１９を通して、図示しない外部装置の信号出力端が接続される。外部装置は例えば適宜の媒体から音楽信号等を読み出して出力する音楽信号出力装置等である。
開口２２１の奥には、筐体２０１の内部に、後述の信号出力ポートが設けられている。信号出力ポートには、開口２２１を通して、図示しない外部装置の信号入力端が接続される。外部装置は例えば入力された信号に基づく音響を出力するヘッドフォン等の音響出力装置である。
開口２２３の奥には、筐体２０１の内部に、後述の切換スイッチが設けられ、そのつまみ２２５が開口２２３から露出している。つまみ２２５は、開口２２３内で左右に動かすことができる。これによって、１対のスピーカ２１５，２１５’が発生する音響の元になる信号を、携帯電話機５００からの信号または外部入力信号のいずれかに切り換えることができる。
第６図に、スピーカシステム４００の右上方からの外観を略図によって示す。スピーカシステム４００は、本発明を実施するための最良の形態の一例である。同図では、スピーカシステム４００が、その上に載置された携帯電話機７００とともに示される。携帯電話機７００はフリップタイプのものである。図ではディスプレーを開いた状態を示す。携帯電話機７００は、本体部分をスピーカシステム４００の上面に横たえた状態で載置されている。載置状態では携帯電話機７００のキーボードが表側となる。スピーカシステム４００は卓上等に設置した状態で使用される。
第７図ないし第１０図に、別々な視点からのスピーカシステム４００の外観を略図によってそれぞれ示す。第７図、第８図、第９図および第１０図の視点は、それぞれ、上面に正対する方向、上面の右上方、上面の左上方および背面上方にある。
これらの図に示すように、スピーカシステム４００は、概ね船型の６面体をなす。このような６面体がスピーカシステム４００の筐体４０１を構成する。筐体４０１の正面、背面および両側面は概ね垂直な面である。図では隠れている底面は水平である。
筐体４０１の上面には、正面寄りに１対の隆起部４３１，４３１’が横方向に間隔をあけて形成されている。上面の背面寄りには１対の隆起部４３３，４３３’が横方向に間隔をあけて形成されている。また、上面の背面側の端部の中央には、隆起部４３５が形成されている。隆起部４３５には爪４３７が設けられている。爪４３７には隆起部４３５の内のスプリング等により正面方向に向かう力が作用している。
隆起部４３１，４３１’、４３３，４３３’および爪４３７によって囲まれた空間が携帯電話機７００の本体部分を受容する。その状態では、爪４３７による正面方向の力が携帯電話機７００に作用し、携帯電話機７００の端部を隆起部４３１，４３１’に押しつけている。
隆起部４３１，４３１’は、携帯電話機７００の端部が押しつけられる部分に、電気接触子４４１，４４１’を有する。携帯電話機７００が載置されたとき、電気接触子４４１，４４１’は、携帯電話機７００端部の対応する接点に接触する。電気接触子４４１，４４１’には、隆起部４３１，４３１’の内側からスプリング等の力が作用している。これによって、電気接触子４４１，４４１’と対応接点との電気的接触が確実化される。
隆起４３３の外面には電気コード４５１が設けられている。電気コード４５１は端部にジャック４５３を有する。ジャック４５３は、上面に載置された携帯電話機７００の対応するジャック受けに挿入される。これによって、第６図に示したように、スピーカシステム４００と携帯電話機７００との電気的接続がなされる。
隆起部４３１，４３１’の間には、開口４１１および押しボタン４１３が設けられている。開口４１１に対応して、筐体４０１の内部には後述のマイクロフォンが設けられている。マイクロフォンおよび押しボタン４１３は、後述のように、携帯電話機７００を通じてのハンズフリー通話を可能にするためのものである。
筐体４０１の背面には、下部寄りに、３つの開口４１７，４１９，４２１が設けられている。開口４１７の奥には、筐体４０１の内部に、電力入力ポートが設けられている。電力入力ポートには、開口４１７を通して、図示しないＡＣアダプタ等の出力端が接続される。これによって、商用交流電力を変換した所定の電圧の直流電力が筐体４０１の内部に供給される。この直流電力は、筐体４０１内の回路用の電源となる。また、電気接触子４４１，４４１’を通じて携帯電話機７００に供給される。携帯電話機７００の内部電池はこの電力によって充電される。
開口４１９の奥には、後述の信号入力ポートが設けられている。信号入力ポートには、開口４１９を通して、図示しない外部装置の信号出力端が接続される。外部装置は例えば適宜の媒体から音楽信号等を読み出して出力する音楽信号出力装置等である。
開口４２１の奥には、後述の信号出力ポートが設けられている。信号出力ポートには、開口４２１を通して、図示しない外部装置の信号入力端が接続される。外部装置は例えば入力された信号に基づく音響を出力する音響出力装置等である、。
筐体４０１の両側面には、後ろ寄りに１対の窓４１５，４１５’が設けられている。窓４１５，４１５’の内側には後述の１対のスピーカがそれぞれ設けられている。窓４１５，４１５’は、それぞれ、１対のスピーカの音響を外部に放射する窓となる。
このようにすることにより、１対のスピーカの間隔をかなり狭めても、疑似サラウンド再生ないしステレオ再生は十分に可能になる。発明者らはこのこと実験によって確認した。
また、このようにすることにより、１対のスピーカの音響放射の主軸方向は実質的に互いに逆となる。このため、スピーカシステム４００の正面に正対する聴者の耳に達する音響は、１対のスピーカから放射された音が室内の壁等で反射された間接的な音響が主体となる。このことはサラウンド効果ないしステレオ効果をさらに高めることに寄与する。
筐体４０１の右側面には、正面寄りにスリット４０３が設けられている。スリット４０３から円盤状のダイヤル４０５の一部が露出している。ダイヤル４０５は、筐体４０１の内部に回転可能に取り付けられている。ダイヤル４０５は、後述の音量調節を可能にするためのものである。
筐体４０１の右側面には、また開口４２３が設けられている。開口４２３の奥には、後述の切換スイッチが設けられ、そのつまみ４２５が開口４２３から露出している。つまみ４２５は、開口４２３内で左右に動かすことができる。これによって、１対のスピーカ４１５，４１５’が発生する音響の元になる信号を、携帯電話機７００からの信号または外部入力信号のいずれかに切り換えることができる。
第１１図に、スピーカシステム２００および４００の電気的構成をブロック図によって示す。どちらのスピーカシステムも電気的構成は同一である。スピーカシステム２００の筐体２０１およびスピーカシステム４００の筐体４０１の中は、電気的にはこのように構成されてている。以下、スピーカシステム２００の例で説明するが、スピーカシステム４００も同様である。
同図に示すように、スピーカシステム２００は、信号入力ポート６３１，６１９、信号出力ポート６４３，６２１、電力入力ポート６１７および電力出力ポート６４５を有する。信号入力ポート６３１、信号出力ポート６４３および電力出力ポート６４５は、前述のコネクタ２０９中に存在する。電力入力ポート６１７、信号入力ポート６１９および信号出力ポート６２１は、それぞれ、前述の開口２１７、２１９および２２１の奥に存在する。
スピーカシステム４００においては、信号入力ポート６３１および信号出力ポート６４３は、前述のジャック４５３に存在する。電力出力ポート６４５は、前述の電気接触子４４１，４４１’に相当する。電力入力ポート６１７、信号入力ポート６１９および信号出力ポート６２１は、それぞれ、前述の開口４１７、４１９および４２１の奥に存在する。
信号入力ポート６３１または信号入力ポート６１９からの入力信号は、切換スイッチ６２５によっていずれか一方が選択される。切換スイッチ６２５は、それを操作するためのつまみが前述の開口２２３から筐体２０１の外に露出している。
信号入力ポート６３１からの入力信号は、携帯電話機２００からの入力信号である。携帯電話機２００からの入力信号は、受話信号または音楽配信サービスによって配信された信号等である。信号入力ポート６１９からの入力信号は、信号入力ポート６１９に接続された外部信号源からの入力信号である。外部信号源は、例えば、記録媒体から読み出した音楽信号を出力する装置等である。なお、外部信号源は、それに限らず適宜の信号源であってよい。
切換スイッチで選択された信号は、音量調節器６０５によって信号強度が調節される。信号強度の調節は前述のダイヤル２０５を回すことにより行われる。
信号強度が調節された信号は信号処理部６３３に入力される。信号処理部６３３は入力信号について所定の処理を施す。所定の処理は例えば疑似サラウンド再生のための信号処理である。このような信号処理は、例えば専用のＬＳＩ等を用いて行われる。なお、信号処理は疑似サラウンド再生のための信号処理に限るものではなく、例えばステレオ再生のための信号処理等、適宜の信号処理であってよい。
信号処理部６３３の出力信号はスピーカ駆動部６３５に入力される。スピーカ駆動部６３５は、入力信号に対応したスピーカ駆動信号で１対のスピーカ６１５，６１５’を駆動する。スピーカ６１５，６１５’は筐体２０１における前述の窓２１５，２１５’を臨む位置にそれぞれ設けられており、それらの窓２１５，２１５’を通して音響を外部に放出する。
スピーカ駆動部６３５の途中からの出力信号は、信号出力ポート６２１から外部に出力可能になっている。これによって、信号出力ポート６２１に例えばヘッドフォン等の身体装着型の音響再生装置を接続することにより、再生音響を聴くことができる。信号出力ポート６２１に接続する外部装置はヘッドフォン等に限らず他の適宜の音響再生装置であってよい。
マイクロフォン６１１が筐体２０１の前述の開口２１１の位置に設けられている。マイクロフォン６１１の出力信号はハンズフリー通話部６４１に入力される。ハンズフリー通話部６４１には押しボタン６１３の接点信号も入力される。押しボタン６１３は前述の押しボタン２１３に相当する。押しボタン６１３の操作に伴ってハンズフリー通話部６４１の機能が有効になり、マイクロフォン６１１からの入力信号がハンズフリー通話部６４１を経て、信号出力ポート６４３から携帯電話機５００に出力される。このようにしてハンズフリー通話が可能になる。なお、ハンズフリー通話を行う場合は、切換スイッチ６２５は携帯電話機２００側に切り換えられており、受話音はスピーカ６１５，６１５’を通じて出力される。
電力入力ポート６１７には、例えばＡＣアダプタ等の直流電力供給装置が接続される。この電力は、信号処理部６３３、スピーカ駆動部６３５およびハンズフリー通話部６４１の電源電力として供給される。直流電力は、電力出力ポート６４５を通じて携帯電話機２００にも供給される。携帯電話機２００の内部電池はこの電力によって充電される。
第１２図は本発明を実施するための最良の形態の一例のスピーカシステムに関して内蔵するスピーカの状態を破線で示した平面図、第１３図は内蔵するスピーカの状態を破線で示した正面図、第１４図は内蔵するスピーカの状態と携帯電話機を収容する凹部を破線で示した右側図、第１５図は第１２図のスピーカ１４の取付面に沿った方向Ａから見た場合のスピーカ１４の仰角の様子を示す説明図である。
これらの図において、１０は載置された携帯電話機の電池を充電すると共に、音楽配信サービス等により得た音楽情報をステレオ再生することが可能なスピーカシステムである。
１１は携帯電話機を凹部１１ａに収容する置台、１２は凹部１１ａの底部に配置されており携帯電話機と信号の授受を行うコネクタ、１３は置台１１に内蔵された左スピーカ、１４は置台１１に内蔵された右スピーカである。
なお、少なくとも１対のスピーカ（ここでは、スピーカ１３およびスピーカ１４）の中心軸が正面に対して左右水平方向に３０°ないし９０°の範囲の水平角を有する（第１２図参照）。また、これらスピーカ１３およびスピーカ１４の中心軸が水平面に対して仰角０°ないし６０°の範囲に設置されている。
第１６図はスピーカシステム１０の電気的構成を示すブロック図である。ここで、コネクタ１２を介して携帯電話機に対して充電回路１５が所定の充電を行うと共に、携帯電話機からの音声信号を受けるように構成されている。そして、携帯電話機からの音声信号は増幅回路１６でステレオ増幅した後に、スピーカ１３とスピーカ１４から出力する。ここで、充電回路１５と増幅回路１６とが必要とする電力は、端子１７を介して図示されないＡＣアダプタ等からスピーカシステム１０に供給されている。
この例において、携帯電話機を用いた音楽配信サービスにより、携帯電話機内部に音楽情報のデータを蓄積できると共に、携帯電話機にステレオヘッドホンを接続することでステレオ音楽再生が実現できる状態になっていることを前提とする。また、携帯電話機で再生される音楽情報は、携帯電話機底部のコネクタから一定レベルのアナログ信号で出力されるものとする。
携帯電話機（図示せず）を本例のスピーカシステム１０に載置すると、携帯電話機の底部のコネクタ（図示せず）とコネクタ１２とが結合状態になる。これにより、スピーカシステム１０から携帯電話機の内部電池に対して充電が実行される。
この場合に、音楽配信サービスのダウンロード中あるいはダウンロード後に、音楽情報の再生のコマンドを携帯電話機に入力すると、携帯電話機底部のコネクタからスピーカシステム１０のコネクタ１２に対して音楽情報の信号が出力される。この際、携帯電話機内部で音楽配信サービスによって得たディジタルデータをＤ−Ａ変換してアナログの音楽情報の信号として、携帯電話機底部のコネクタから出力する。この音楽情報の信号をコネクタ１２を介して受けたスピーカシステム１０では、増幅回路１６で音楽情報を増幅し、スピーカ１３とスピーカ１４とから出力する。
なお、充電が完了している携帯電話機がスピーカシステム１０に載置された場合には、充電はなされずに、音楽情報の出力のみが実行される。
このように、スピーカシステム１０に内蔵したステレオスピーカ１３と１４とを用いて、音楽配信サービスによって蓄積中あるいは蓄積した音楽情報について、配信を受けた携帯電話機によってそのまま再生することが可能になる。そして、ステレオヘッドホンを用いて携帯電話機を持ちながら再生する必要もなくなる。また、携帯電話機に挿入したメモリカードを他の専用再生装置に移して再生する必要はなくなる。
また、スピーカ１３およびスピーカ１４の中心軸が正面に対して左右水平方向に３０°ないし９０°の範囲の水平角を有し、これらスピーカ１３およびスピーカ１４の中心軸が水平面に対して仰角０°ないし６０°の範囲に設置されているので、スピーカシステム１０を机やテーブル等の上に載置した状態で再生を行った場合に左右のスピーカから放射される音がそれぞれ広がるため、十分なステレオ感を伴った音楽情報の再生を行うことが可能になる。なお、スピーカをこのような角度に配置しているため、２つのスピーカが近接していてもステレオ感が損なわれることはない。同様な理由で、疑似サラウンド再生も効果的に行うことができる。
また、スピーカ１３とスピーカ１４の中心軸が正面に対して左右水平方向に４５°の範囲に設置されていると、左右の音声の広がりに関してさらに良好な結果を得ることができる。
また、スピーカ１３とスピーカ１４の中心軸が正面に対して仰角３０°ないし４５°の範囲に設置されていると、テーブルや机上に置いた状態で再生する際に、さらに良好な結果を得ることができる。
なお、以上の例の説明では１対（２個）のスピーカを配置したが、ステレオ再生用スピーカ（２個）とサブウーハー（１個）との合計３個にすることも可能である。この場合、置台１１の正面だけでなく、側面，背面，底面，上面等いずれかの位置に追加のスピーカおよび／もしくはダクト（ポート）等を配置することで実現できる。このようにすると、小型でありながら、迫力ある低音を再生することができるスピーカシステムとすることが可能になる。
なお、以上の例では音楽配信サービスを中心に説明を行ったが、着信メロディの内容をステレオで再生するような携帯電話機にも適用することが可能である。
また、以上の例の説明では、コネクタ１２により充電と音楽情報の信号伝送とを行っていたが、それぞれが別のコネクタあるいは端子を使用する場合であっても、本発明を適用することは可能である。
産業上の利用の可能性
本発明に係るスピーカシステムは、携帯電話機への電力供給およびハンズフリー通話が可能な携帯電話機用の置台として利用することに加えて、携帯電話機を通じて配信された音楽等を疑似サラウンド再生ないしステレオ再生するための卓上オーディオ装置として利用するのに適する。
【図面の簡単な説明】
第１図は、本発明を実施するための最良の形態の一例のスピーカシステムを、その上に携帯電話機を載置した状態で示す略図である。
第２図は、本発明を実施するための最良の形態の一例のスピーカシステムを、正面上方から見た外観を示す略図である。
第３図は、本発明を実施するための最良の形態の一例のスピーカシステムを、右上方から見た外観を示す略図である。
第４図は、本発明を実施するための最良の形態の一例のスピーカシステムを、左上方から見た外観を示す略図である。
第５図は、本発明を実施するための最良の形態の一例のスピーカシステムを、背面上方から見た外観を示す略図である。
第６図は、本発明を実施するための最良の形態の一例のスピーカシステムを、その上に携帯電話機を載置した状態で示す略図である。
第７図は、本発明を実施するための最良の形態の一例のスピーカシステムを、正面上方から見た外観を示す略図である。
第８図は、本発明を実施するための最良の形態の一例のスピーカシステムを、右上方から見た外観を示す略図である。
第９図は、本発明を実施するための最良の形態の一例のスピーカシステムを、左上方から見た外観を示す略図である。
第１０図は、本発明を実施するための最良の形態の一例のスピーカシステムを、背面上方から見た外観を示す略図である。
第１１図は、本発明を実施するための最良の形態の一例のスピーカシステムの電気的構成を示すブロック図である。
第１２図は、本発明を実施するための最良の形態の一例のスピーカシステムの構成を示す平面図である。
第１３図は、本発明を実施するための最良の形態の一例のスピーカシステムの構成を示す正面図である。
第１４図は、本発明を実施するための最良の形態の一例のスピーカシステムの構成を示す右側面図である。
第１５図は、本発明を実施するための最良の形態の一例のスピーカシステムの構成を第１２図のＡ方向から見た状態を示す外観図でる。
第１６図は、本発明を実施するための最良の形態の一例のスピーカシステムの電気的構成を示すブロック図である。
【図１】
2003079650.tif 000003
【図２】
2003079650.tif 000004
【図３】
2003079650.tif 000005
【図４】
2003079650.tif 000006
【図５】
2003079650.tif 000007
【図６】
2003079650.tif 000008
【図７】
2003079650.tif 000009
【図８】
2003079650.tif 000010
【図９】
2003079650.tif 000011
【図１０】
2003079650.tif 000012
【図１１】
2003079650.tif 000013
【図１２】
2003079650.tif 000014
【図１５】
2003079650.tif 000015
【図１３】
2003079650.tif 000016
【図１４】
2003079650.tif 000017
【図１６】
2003079650.tif 000018
【国際調査報告】
2003079650.tif 000019
2003079650.tif 000020
2003079650.tif 000021
2003079650.tif 000022